(57)【要約】【課題】ペーストを乾燥させることなく温調が行え、印刷品質を確保することができるスクリーン印刷装置およびスクリーン印刷方法を提供することを目的とする。【解決手段】マスクプレート６上にクリーム半田７を供給してスキージ２２を摺動させることにより、パターン孔６ａを介して基板５にクリーム半田７を印刷するスクリーン印刷装置において、スキージ２２のホルダ２２ａに装着され温度調整装置２８に接続された温調ジャケット２３によってスキージ２２の温度を調整し、マスクプレート６上に供給されたクリーム半田７をスキージ２２に接触させて、クリーム半田７の温度を適正温度に保持する。これにより、クリーム半田７を乾燥させることなく適正温度に保持することができる。【選択図】　図２
2004090385.tif 000002
【特許請求の範囲】
【請求項１】
パターン孔が設けられたマスクプレートを基板に当接させ、マスクプレート上にペーストを供給してスキージを摺動させることにより、パターン孔を介して基板にペーストを印刷するスクリーン印刷装置であって、前記スキージの温度を調整する温度調整手段を備え、マスクプレート上に供給されたペーストを前記スキージに接触させることにより、ペーストの温度を適正温度に保持することを特徴とするスクリーン印刷装置。
【請求項２】
パターン孔が設けられたマスクプレートを基板に当接させ、マスクプレート上にペーストを供給してスキージを摺動させることにより、パターン孔を介して基板にペーストを印刷するスクリーン印刷方法であって、前記スキージの温度を温度調整手段によって調整し、マスクプレート上に供給されたペーストを前記スキージに接触させることにより、ペーストの温度を適正温度に保持することを特徴とするスクリーン印刷方法。
【発明の詳細な説明】
【０００１】
【発明の属する技術分野】
本発明は、基板にクリーム半田や導電性ペーストなどのペーストを印刷するスクリーン印刷装置およびスクリーン印刷方法に関するものである。
【０００２】
【従来の技術】
電子部品実装工程において、基板上にクリーム半田や導電性ペーストなどのペーストを印刷する方法としてスクリーン印刷が用いられている。この方法は、印刷対象部位に応じてパターン孔が設けられたスクリーンマスクを基板に当接させ、スクリーンマスク上にペーストを供給してスキージを摺動させることにより、パターン孔を介して基板上にペーストを印刷するものである。
【０００３】
このスクリーン印刷においては、良好な印刷品質を確保するため印刷時のペーストの粘度を適切に保つ必要がある。このため、スクリーン印刷装置にはマスクプレート上に供給されたペーストの温度を所定温度範囲に保つための温調装置が設けられている。従来のスクリーン印刷装置では、スクリーン印刷機構全体の雰囲気温度を温度調節することによって、空気を媒体としてペーストの温度を調節するようにしていた。
【０００４】
【発明が解決しようとする課題】
しかしながら上記従来の方法では、温度媒体としての空気がペーストに対して吹き付けられることから、ペーストに含有される溶剤成分の蒸発が促進されることが避けられなかった。このため、本来ペーストを適正温度に保って品質を維持するために行われる温度調節によって、ペーストの乾燥による品質劣化が促進されて使用寿命が短縮される結果となっていた。
【０００５】
そこで本発明は、ペーストを乾燥させることなく温調が行え、印刷品質を確保することができるスクリーン印刷装置およびスクリーン印刷方法を提供することを目的とする。
【０００６】
【課題を解決するための手段】
請求項１記載のスクリーン印刷装置は、パターン孔が設けられたマスクプレートを基板に当接させ、マスクプレート上にペーストを供給してスキージを摺動させることにより、パターン孔を介して基板にペーストを印刷するスクリーン印刷装置であって、前記スキージの温度を調整する温度調整手段を備え、マスクプレート上に供給されたペーストを前記スキージに接触させることにより、ペーストの温度を適正温度に保持する。
【０００７】
請求項２記載のスクリーン印刷方法は、パターン孔が設けられたマスクプレートを基板に当接させ、マスクプレート上にペーストを供給してスキージを摺動させることにより、パターン孔を介して基板にペーストを印刷するスクリーン印刷方法であって、前記スキージの温度を温度調整手段によって調整し、マスクプレート上に供給されたペーストを前記スキージに接触させることにより、ペーストの温度を適正温度に保持する。
【０００８】
本発明によれば、スキージの温度を調整する温度調整手段を備え、マスクプレート上に供給されたペーストをスキージに接触させてペーストの温度を調節することにより、ペーストを乾燥させることなく適正温度に保持することができる。
【０００９】
【発明の実施の形態】
次に本発明の実施の形態を図面を参照して説明する。図１は本発明の一実施の形態のスクリーン印刷装置の断面図、図２は本発明の一実施の形態のスクリーン印刷装置の部分断面図、図３は本発明の一実施の形態のスクリーン印刷装置の部分側面図である。
【００１０】
まず図１を参照してスクリーン印刷装置の全体構成を説明する。図１において、スクリーン印刷装置１は、全体を覆うカバー体２の内部に以下に説明する基板位置決め部３およびスクリーン印刷部４を配設して構成されている。基板位置決め部３は印刷対象の基板５を保持し、スクリーン印刷部４に対して位置決めする。スクリーン印刷部４は、パターン孔６ａ（図２参照）が設けられたマスクプレート６を備えており、マスクプレート６上にはスキージユニット８が配設されている。スキージユニット８は図２に示す移動手段により水平方向に移動し、マスクプレート６上に供給されたペーストであるクリーム半田７をマスクプレート６のパターン孔を介して基板５に印刷する。
【００１１】
カバー体２の上面には送風ダクト９が結合されており、送風ダクト９は温調送風装置１０に接続されている。温調送風装置１０は温度調整器と送風機を組み合わせたものであり、カバー体２の内部に所定温度に温度調節された空気を送り込む。これにより、スクリーン印刷部４周囲の雰囲気温度が適正温度に保たれ、スキージユニット８や基板位置決め部３の金属部分における結露の発生を防止することができる。ここで、送風ダクト９のカバー体２内部における吹き出し口は、吹き出した空気がマスクプレート６上のクリーム半田７に直接吹き付けることがないように、吹き出し方向が設定されている。
【００１２】
次に図２，図３を参照して、基板位置決め部３およびスクリーン印刷部４の詳細構成について説明する。図２において、基板位置決め部３は、Ｙ軸テーブル１１、Ｘ軸テーブル１２およびＺ軸テーブル１３を段積みして構成されており、Ｚ軸テーブル１３の上面は基板５を保持する基板保持部となっている。基板５はクランパ１４によって両側からクランプされ、印刷動作時にはマスクプレート６の下面に当接する。
【００１３】
スキージユニット８はベース部２１から下方に延出して設けられた１対の金属製のスキージ２２を備えており、スキージ２２はホルダ２２ａに保持されている。ホルダ２２ａはベース部２１の上面に垂直に配設されたシリンダ２４のロッド２４ａに結合されており、シリンダ２４を駆動することによりスキージ２２がマスクプレート６に対して昇降するようになっている。ベース部２１に固定されたナット部材２５には、モータ２７によって回転駆動される送りねじ２６が螺合しており、モータ２７を駆動することにより、スキージユニット８が水平移動する。
【００１４】
スキージ２２を下降させてマスクプレート６に当接させ、クリーム半田７が供給されたマスクプレート６上でスキージ２２を摺動させるスキージング動作を行うことにより、マスクプレート６のパターン孔６ａ内にはクリーム半田７が充填される。そしてこのスキージング動作の後、基板５を下降させてマスクプレート６の下面から離隔させる版離れを行うことにより、基板５へのスクリーン印刷が完了する。
【００１５】
ホルダ２２ａの側面には、図３に示すようにスキージ２２の全幅にわたって温調用ジャケット２３が装着されている。温調用ジャケット２３の内部には、温度媒体が循環する内部孔が設けられており、これらの内部孔は温度調整装置２８に温調配管によって接続されている。温度調整装置２８を駆動することにより、温調用ジャケット２３の内部孔を設定温度（クリーム半田７の適正印刷温度・・・２０℃〜２５℃）に調整された温度媒体が循環する。これにより、ホルダ２２ａに接触して保持されたスキージ２２の温度は設定温度に調整される。すなわち、温調用ジャケット２３および温度調整装置２８は、スキージ２２の温度を調整する温度調整手段となっている。
【００１６】
従って、マスクプレート６の上面でスキージ２２によってクリーム半田７を掻き寄せるスキージング動作中に、温度調整装置２８を駆動してスキージ２２の温度を上述の設定温度に調整することにより、マスクプレート６上でスキージ２２に常に接触状態にあるクリーム半田７は、上述の適正温度に保持される。
【００１７】
このとき、クリーム半田に温調用の空気を直接吹き付ける従来の方法と異なり、クリーム半田７から溶剤成分が蒸散することによる品質劣化が発生しない。これにより、クリーム半田７の劣化を招くことなく常にクリーム半田７をスキージングに適した粘度に維持することができ、印刷品質の確保とともに、半田使用歩留まりの向上が可能となる。なお本実施の形態では、スキージ２２として熱伝導率のよい金属製のスキージを使用した例を示しているが、他の材質を用いたスキージに対しても適用可能である。
【００１８】
【発明の効果】
本発明によれば、スキージの温度を調整する温度調整手段を備え、マスクプレート上に供給されたペーストをスキージに接触させてペーストの温度を調節するようにしたので、ペーストを乾燥させることなく印刷のための適正温度に保持することができる。
【図面の簡単な説明】
【図１】本発明の一実施の形態のスクリーン印刷装置の断面図
【図２】本発明の一実施の形態のスクリーン印刷装置の部分断面図
【図３】本発明の一実施の形態のスクリーン印刷装置の部分側面図
【符号の説明】
１　スクリーン印刷装置
３　基板位置決め部
４　スクリーン印刷部
５　基板
６　マスクプレート
６ａ　パターン孔
８　スキージユニット
２２　スキージ
２３　温調用ジャケット
２８　温度調整装置
【図１】
2004090385.tif 000003
【図２】
2004090385.tif 000004
【図３】
2004090385.tif 000005